(57)【要約】      （修正有）【課題】使用済の注射器を汚染部分と汚染していないリサイクル可能部分とに分別し、注射器をリサイクルし、温室効果ガスＣＯ２の排出量を削減する。【解決手段】当接板２４、２４の間のスリット２５に注射器Ａの注射針Ｐが挿通され、受け凹部４４上に注射器Ａ本体が置かれ、切断スイッチが押されると、モーター３１が回転し、押さえ板３４が回転して、注射器Ａ本体の先端を押さえる。すると、押さえ板３４と受け凹部４４との間にある切断刃２７で、注射針Ｐを備えた注射器Ａの先端が切断されて廃棄され、残った注射器Ａ本体はリサイクルされる。【選択図】図３
2011147632.tif 000002
【特許請求の範囲】
【請求項１】
注射器が動かないように置かれ、この注射器に対してほぼ直交方向に動くとともにこの注射器が置かれたまま動き、この動きに対して復帰させる方向に付勢される受け部と、
この受け部に並んで配置され、当該受け部が動く時にこの受け部に対してほとんど動かず、上記注射器の本体の先端に近い個所に対して対向する切断刃と、
所定の操作によって、上記切断刃を避けて上記注射器を上記受け部の付勢に抗して所定の幅に渡って押さえ込み、当該注射器の先端付近を上記切断刃に対して通過させて切断し、この注射器の先端付近及び注射針を注射器本体から切り離す移動押さえ部とを備えたことを特徴とする注射器の廃棄分別装置。
【請求項２】
上記移動押さえ部は、上記切断刃を挟んで、上記受け部と反対側に配置され、または、この移動押さえ部は、この切断刃を挟んで、上記注射器Ａと反対側に配置されることを特徴とする請求項１記載の注射器の廃棄分別装置。
【請求項３】
上記移動押さえ部を挟んで、切断刃と反対側にはスリットを有する当接部が設けられ、このスリットには注射器の注射針は挿通されるが注射器本体は挿通されず、当該スリットの方向は、上記移動押さえ部の移動方向にほぼ沿っており、上記切断刃から当該スリットまたは当接部までの長さは一定であることを特徴とする請求項２記載の注射器の廃棄分別装置。
【請求項４】
上記受け部の外側には、注射器の差し込み穴が形成され、この差し込み穴には当該受け部が露出し、この露出量は切断される注射器の太さより大きく、  上記切断刃も上記差し込み穴に露出し、この露出量は切断される注射器の太さより大きいことを特徴とする請求項３記載の注射器の廃棄分別装置。
【請求項５】
上記受け部及び切断刃には、蓋部が設けられ、この蓋部で上記受け部及び切断刃が覆われて注射器の根元付近のみが露出され、当該蓋部が開けられると上記移動押さえ部の回転が禁止されることを特徴とする請求項４記載の注射器の廃棄分別装置。
【請求項６】
上記移動押さえ部の回転位置には検出部が設けられ、この検出部で移動押さえ部の通過が検出されると、移動押さえ部の回転が停止され、この移動押さえ部は上記切断刃付近では停止されないことを特徴とする請求項５記載の注射器の廃棄分別装置。
【請求項７】
上記移動押さえ部は、受け部及び切断刃に対して一回転し、上記所定の操作が継続されても一回転以上はしないことを特徴とする請求項６記載の注射器の廃棄分別装置。
【請求項８】
上記所定の操作が停止されても、上記移動押さえ部は上記検出部で移動押さえ部の通過が検出されるまで回転を続けることを特徴とする請求項７記載の注射器の廃棄分別装置。
【請求項９】
上記所定回数切断が行われるまたは上記移動押さえ部が所定回数回転すると、報知する手段が設けられ、  上記切断刃は刃の方向にそって移動されて再度固定されることを特徴とする請求項８記載の注射器の廃棄分別装置。
【発明の詳細な説明】
【技術分野】
【０００１】
本発明は、注射器の廃棄分別装置などに関し、特に注射器の血液などが付着した汚染部分と汚染していないリサイクルできる部分とに分別する装置に関する。
【背景技術】
【０００２】
従来、注射器を処理する装置としては、注射針の部分を回して取り外したり切断したり電気スパークで溶かしたりして廃棄し、注射針が不用意に人体を突きささないようにして、ウイルスまたは細菌などが感染しないようにしたものが知られている。
【０００３】
しかしながら、このような注射針処理装置では、注射針の危険性を解消するだけであり、リサイクルすることはできなかった。なぜなら、注射針を取り外し、切断または溶解させても、注射器の中には患者の血液などが浸入しており、患者のウイルスまたは細菌で汚染されているおそれがあり、注射器本体もそのまま医療廃棄物として焼却廃棄処分などされていた。
【先行技術文献】
【特許文献】
【０００４】
【特許文献１】特開２００１−２５２３５７号公報
【特許文献２】特表２０００−５１１０６７号公報
【特許文献３】実開平４−１１０３９号公報
【特許文献４】実開平６−１６９９５６号公報
【発明の概要】
【発明が解決しようとする課題】
【０００５】
本発明は、上述した課題を解決するためになされたものであり、本発明の目的は、注射器の血液などが付着した汚染されている可能性のある部分と汚染していないリサイクルできる部分とに分別し、注射器であってもリサイクルできるようにして、二酸化炭素などの温室効果ガスの排出量を削減することにある。
【課題を解決するための手段】
【０００６】
上記目的を達成するため、本発明は、例えば、注射器が動かないように置かれ、この注射器に対してほぼ直交方向に動くとともにこの注射器が置かれたまま動き、この動きに対して復帰させる方向に付勢される受け部と、  この受け部に並んで配置され、当該受け部が動く時にこの受け部に対してほとんど動かず、上記注射器の本体の先端に近い個所に対して対向する切断刃と、  所定の操作によって、上記切断刃を避けて上記注射器を上記受け部の付勢に抗して所定の幅に渡って押さえ込み、当該注射器の先端付近を上記切断刃に対して通過させて切断し、この注射器の先端付近及び注射針を注射器本体から切り離す移動押さえ部とを備えた。
【発明の効果】
【０００７】
これにより、切断刃で注射器の先端付近と注射器の本体とが切断されて分けられ、ウイルスまたは細菌で汚染されていない注射器の本体を、ウイルスまたは細菌で汚染されている可能性のある注射器の先端付近から分別してリサイクルできる。これらは、切断刃で分離されるから、切断刃を挟んで二つの収集ケース等を設置すれば、注射器の本体と注射器の先端付近とをきちんと分別して収集できる。
【０００８】
また、切断刃をほとんど動かしていないから、円滑に切断でき、ガリガリという異常な音がしない。注射器本体部分を切断するから、使用済の注射器を誤ってまたは悪意で再使用されてしまうことがない。注射器の注射針にキャップをする必要がないから、注射針を誤って指などに刺してしまうおそれが無くなる。
【０００９】
このような注射器の廃棄分別処理によって、透析用の注射器をリサイクルするだけで、試算上、温室効果ガスＣＯ２を日本全国で年間１１０００トン削減できる。これに一般の注射器もリサイクルできるとすると、この温室効果ガスＣＯ２の削減量は、数十倍乃至数百倍まで拡大でき、環境対策上極めて優れている。
【図面の簡単な説明】
【００１０】
【図１】注射器の廃棄分別装置の全体外観を示す。
【図２】注射器の廃棄分別装置の上部の内部構造のうちの中板４の上の正面を示す。
【図３】注射器の廃棄分別装置の上部の内部構造のうちの中板４の上及び天板８の裏の平面を示す。
【図４】注射器の廃棄分別装置の上部の内部構造のうちの天板８の裏を示す。
【図５】回転制御部３８の全体回路を示し、注射器Ａの廃棄分別方法を実現するための装置、注射器Ａの廃棄分別のためのコンピュータプログラムを実行する装置、注射器Ａの廃棄分別装置の全体回路を示す。
【図６】注射器Ａの廃棄分別を制御する処理のフローチャートを示す。
【発明を実施するための形態】
【００１１】
（１）注射器の廃棄分別装置の全体外観
図１は注射器の廃棄分別装置の全体外観を示す。床上の転動可能な４つのキャスター１…の上に水平のほぼ正方形の底板２が固定され、この底板２の３辺から垂直に縦長の方形状の側板３…が固定されている。
【００１２】
この三枚の側板３…の上面にはほぼ正方形状の中板４が固定されている。この三枚の側板３…、底板２及び中板４で形成される開口部は扉５で蓋をされ、この扉５の図１の右側の縦辺は蝶番を介して側板３の縦辺に回動可能に連結される。この扉５の蝶番と反対側の辺付近には取っ手６が取り付けられている。
【００１３】
これら三枚の側板３…、底板２、中板４及び扉５で囲まれた縦長の長方体の空間には、分別収集箱Ｂが収納される。この分別収集箱Ｂには、注射器から切断された危険で汚染された注射器の先端付近及び注射針が分別収集される。
【００１４】
上記中板４の対向する二辺の上には上側板７、７が固定されている。この上側板７、７の上には、断面「コ字状」の天板８が固定されている。この天板８は断面が「コ字状」なので、上側板７、７の間の上面だけでなく、前面及び背面も塞いでいる。この上側板７、７及び天板８の前面と上面の境界は斜めに面取り部９が形成されている。
【００１５】
この天板８の上面、面取り部９、前面にかけ、中央からややずれた位置は、切欠されて、細長い穴が形成され、この細長い穴には、上下に開閉可能な蓋部１０が取り付けられている。この蓋部１０の先端にはつまみが固定されている。
【００１６】
この蓋部１０は、細長い穴より短く、蓋部１０の先端には、蓋部１０が塞がれていない差し込み穴１１が形成される。この差し込み穴１１には、後述する注射器Ａが差し込まれ、この差し込み穴１１からは、注射器Ａの根元付近のみが露出される。
【００１７】
したがって、上記受け凹部４４、切断刃２７、押さえ板３４などには、蓋部１０が設けられ、この蓋部１０で受け凹部４４、切断刃２７、押さえ板３４などが覆われて注射器Ａの根元付近のみが露出される。この蓋部１０が開けられると、後述のモーター３１及び押さえ板３４の回転が禁止される。
【００１８】
上記面取り部９の端には切断スイッチ１２が設けられている。この切断スイッチ１２の操作（所定の操作）によって、注射器Ａの先端付近及び注射針Ｐが注射器Ａ本体から切断されて切り離される。上記上側板７の中央やや上には電源スイッチ１３が設けられている。この電源スイッチ１３によって、注射器の廃棄分別装置の電源が投入されたり遮断されたりされる。
【００１９】
この面取り部９の他の端には、報知ランプ１５（報知手段）が設けられている。この報知ランプ１５は、注射器Ａが所定回数、例えば一万回切断が行われる、または後述するモーター３１が一万回転すると、点灯または点滅されて報知される。これにより、後述する切断刃２７の反転または交換が報知されて促され、切断刃２７は刃の方向にそって移動されて再度固定される。
【００２０】
上記扉５の上には左右水平に伸びる掛け部１４が固定されている。この掛け部１４は、両端が「Ｕ字状」に折り曲げられ、この折り曲げられた端が、注射器の廃棄分別装置本体にネジ留めされる。この掛け部１４には袋などが掛けられ、上記切断された注射器Ａの本体が入れられ、リサイクルされ、二酸化炭素などの温室効果ガスの排出量が削減される。
【００２１】
図１の右側の注射器の廃棄分別装置の側面の中央屋や上には、小型のゴミ入れ扉１６が開閉可能に設けられている。このゴミ入れ扉１６を開けて、注射針Ｐと同様の染廃棄物又は危険廃棄物を上記分別収集箱Ｂに捨てることができる。
【００２２】
上記受け凹部４４の上の蓋部１０の裏または蓋部１０付近の天板８の裏には赤外線センサー１７など人体を感知するセンサーが設けられている。この赤外線センサー１７の感知によって、上記モーター３１の回転が完全に停止され、人の指等があやまって入れられても、モーター３１が回転してしまわない。
【００２３】
上記扉５は鍵その他暗証番号入力用のテンキー等が付加され、容易に開けられないようにしてもよい。これにより、切断された注射針Ｐに手等の人体が不用意に接触してしまうことがない。
【００２４】
上記落下穴２２の大きさまたは上記ゴミ入れ扉１６の大きさは、手の幅または厚さより小さい。これにより、切断された注射針Ｐに手等の人体が不用意に接触してしまうことがない。
【００２５】
（２）注射器Ａの廃棄分別装置の上部の内部構造の中板４の上
図２は、注射器の廃棄分別装置の上部の内部構造のうちの中板４の上の正面を示し、図３は注射器の廃棄分別装置の上部の内部構造のうちの中板４の上及び天板８の裏の平面を示す。
【００２６】
上記扉５の上縁付近の中板４の手前側は切欠され、処理穴２１が形成されている。また、この中板４の中央からややずれた位置は、方形状に切欠され、落下穴２２が形成されている。この落下穴２２と処理穴２１とは繋がって「Ｔ字状」になっている。これら、処理穴２１及び落下穴２２と中板４との境界に沿って垂直に仕切り板２３が固定されている。
【００２７】
この落下穴２２を囲む互いに対向する仕切り板２３の側面から方形状の当接板２４、２４が突設固定されている。この当接板２４、２４の先端縁は互いに接近して、縦に伸びるスリット２５が形成される。このスリット２５には、注射器Ａの注射針Ｐは挿通されるが注射器Ａ本体は挿通されない。
【００２８】
このスリット２５は上方ほど太くなっていて注射針Ｐをスリット２５の上から入れ易くなっている。また、この当接板２４、２４は、下側の根元が両側の仕切り板２３に固定され、上端が固定されず変形性を有している。したがって、当接板２４、２４に注射針Ｐが当たっても、注射針Ｐを折ってしまうことがない。
【００２９】
また、この当接板２４、２４及びスリット２５から後述する切断刃２７までの間隔は一定である。したがって、この当接板２４、２４及びスリット２５によって、注射器Ａの先端面から一定の長さが切断される。これは注射針Ｐの長さが変化しても一定にできる。このスリット２５の間隔は一定である。なぜなら、注射器Ａの本体の太さは種々のものがあるが、注射針Ｐ及びその根元の太さは度の注射器Ａでも一定だからである。
【００３０】
上記落下穴２２の左側の、上記処理穴２１に向いた仕切り板２３の手前側面には直方体状の切断ホルダー２６が固定され、この切断ホルダー２６の前面には切断刃２７が固定されている。この切断刃２７は長方形板状で、大きい穴１つと小さい穴２つの計３つの取付け穴２８が形成され、この３つの穴を通じて、上記切断ホルダー２６にネジ留めされる。
【００３１】
この３つの取付け穴２８は、長方形状の切断刃２７の右端のほか左端にも同じように形成されている。したがって、切断刃２７が磨り減ったら、表裏反転して左右入れ替えて切断ホルダー２６に切断刃２７を取り付け、切断刃２７の磨り減っていない個所で、注射器Ａを切断することができ、切断刃２７を無駄なく使用できる。
【００３２】
また、切断刃２７を刃の方向にそって移動させて再度固定できるので、切断刃２７の刃の位置が変わらず、したがって注射器Ａの切断位置が変わらず、切断刃２７を反転しても、切断状態を一定にできる。
【００３３】
上記落下穴２２の右側の上記中板４の上には、モーター３１が固定されており、このモーター３１の回転は歯車減速機構を介し、この減速回転軸は上記仕切り板２３を貫通し、この回転軸の先には回転押さえ部３２が固定されている。この回転押さえ部３２は円板状の重量のある中心部３３と、この中心部３３から外方に突出している板状の押さえ板３４とから構成される。
【００３４】
この押さえ板３４の先端には角度の広い「Ｖ字状」の押さえ凹部３５が形成されている。この回転押さえ部３２の押さえ凹部３５が注射器Ａの先端部を押さえ込んで、注射器Ａの先端付近を上記切断刃２７に対して通過させて切断し、この注射器Ａの先端付近及び注射針Ｐを注射器Ａ本体から切り離す。
【００３５】
この回転押さえ部３２の押さえ板３４は、上記切断刃２７と上記仕切り板２３との間を通過する位置に設けられている。したがって、回転押さえ部３２の押さえ板３４は、上記切断刃２７を避ける位置に設けられている。上記押さえ凹部３５の凹部の幅は、一番大きな注射器Ａの直径より大きく、注射器Ａを所定の幅に渡って押さえ込む。
【００３６】
落下穴２２を囲む仕切り板２３の切欠部には蓋検出スイッチ３６が設けられ、上記蓋部１０の開閉が検出される。上記回転押さえ部３２の右上には回転検出スイッチ３７が設けられ、しかもこの回転検出スイッチ３７は上記押さえ板３４の回転位置に設けられており、回転押さえ部３２及び押さえ板３４等の一回転が検出される。
【００３７】
上記モーター３１の横には、制御回路部３８が設けられ、モーター３１のほか、上記切断スイッチ１２、電源スイッチ１３、蓋検出スイッチ３６、回転検出スイッチ３７と電気的に接続され、モーター３１の回転の制御がされる。
【００３８】
上記落下穴２２内の仕切り板２３の側壁であって、当接板２４の手前側には、消毒作用のある紫外線を発する消毒ランプ３９が設けられ、制御ツンされた注射器Ａの切断面に対して紫外線が照射され、ウイルスまたは細菌などが無害化される。
【００３９】
（３）注射器Ａの廃棄分別装置の上部の内部構造の天板８の裏
図３は、注射器の廃棄分別装置の上部の内部構造のうちの中板４の上及び天板８の裏の平面を示し、図４は、注射器の廃棄分別装置の上部の内部構造のうちの天板８の裏を示す。
【００４０】
上記天板８の蓋部１０の下の差し込み穴１１の下側の、天板８の裏側には、断面「コ字状」の上下に延びるガイド４１、４１が固定されている。このガイド４１、４１の溝は互いに対向している。
【００４１】
このガイド４１、４１の下にはガイド板４２が固定され、このガイド板４２の下方は斜め下方に延びており、切断された注射器Ａの先端付近及び注射針Ｐが、分別収集箱Ｂの中の中央に確実に落下される。
【００４２】
このガイド４１、４１には、受け板４３が上下にスライド可能に嵌め込まれている。この受け板４３の上には、角度の広い断面「Ｖ字状」の受け凹部４４が形成されている。
【００４３】
この受け板４３の下方には、上付勢板４５が突出固定され、一方上記ガイド板４２の上には、天板８に下付勢板４６が突出されて固定される。これら上付勢板４５及び下付勢板４６の間には、コイル状の付勢ばね４７が挟持固定され、天板８に対して上記受け板４３及び受け凹部４４が上方へ付勢される。
【００４４】
この受け凹部４４は上記切断刃２７の隣に並んで配置され、受け凹部４４の底は切断刃２７の上縁よりやや高い。したがって、差し込み穴１１に注射器Ａを入れて、受け凹部４４の上に注射器Ａを置くとき、切断刃２７が邪魔にならない。
【００４５】
また、受け凹部４４は、その外側の差し込み穴１１から露出しており、受け凹部４４の底は、差し込み穴１１の下端より高くなっており、この高さ（高低差／露出量）は、切断する一番太い注射器Ａの直径／太さより大きい。また、上記受け凹部４４を間に挟んで、上記切断刃２７も上記差し込み穴１１から露出し、この露出量は切断される注射器の直径／太さより大きい。
【００４６】
したがって、注射器Ａを切断し切らないうちに、注射器Ａの下面が差し込み穴１１の下端に当たってしまうことがなく、注射器Ａが確実に切断される。なお、受け凹部４４の外面と差し込み穴１１との間には隙間があってもよいし、他の部材が存在してもよい。
【００４７】
以上のように、受け凹部４４はＶ字状に凹んでいるので、受け凹部４４の上に置かれた上記注射器Ａがほとんど動かず安定する。また、受け凹部４４は注射器Ａに対してほぼ直交方向に動き、さらに受け凹部４４は注射器Ａが置かれたまま動くので、切断方向と注射器Ａの動く方向がほぼ一致して、切断方向がずれず円滑に切断される。
【００４８】
さらに、受け凹部４４はこの動きに対して上記付勢ばね４７によって復帰させる方向に付勢されるので、切断方向と付勢ばね４７の付勢方向がほぼ一致して、切断方向がずれず円滑に切断される。
【００４９】
また、回転押さえ部３２の押さえ板３４は、受け凹部４４の付勢に抗して注射器Ａを押さえ込んで、切断刃２７で注射器Ａを切断させる。したがって、注射器Ａの切断時に、注射器Ａが不用意に動かず安定し、注射器Ａが円滑に切断される。
【００５０】
さらに、切断刃２７は受け凹部４４に並んで配置され、この受け凹部４４が下方へ動く時に、この受け凹部４４に対して切断刃２７はほとんど動かない。したがって、切断刃２７のほうはほとんど動かず、円滑に切断でき、ガリガリという異常な音がしない。
【００５１】
また、切断刃２７は、上記注射器Ａの本体の先端に近い個所に対して対向する。したがって、注射器Ａのうち血液などが付着した先端部分のみを、注射器Ａ本体から切り離して、血液などが付着していない注射器Ａ本体をリサイクルできる。
【００５２】
さらに、切断刃２７付近では、回転押さえ部３２の押さえ板３４は、ほぼ垂直方向に移動し、上記スリット２５の方向に沿っている。したがって、注射針Ｐはスリット２５に沿って円滑に下降する。
【００５３】
また、上記回転押さえ部３２の押さえ板３４は、上記切断刃２７を挟んで、上記受け凹部４４と反対側に配置される。さらに、この回転押さえ部３２の押さえ板３４は、この切断刃２７を挟んで、上記注射器Ａと反対側に配置される。したがって、注射器Ａに対して互いに逆方向に力が働く、受け凹部４４と回転押さえ部３２の押さえ板３４との間に、切断刃２７が位置するので、注射器Ａに働く力の中で最も切断し易い箇所で切断できる。
【００５４】
（４）回転制御部３８の全体回路
図５は回転制御部３８の全体回路を示し、注射器Ａの廃棄分別方法を実現するための装置、注射器Ａの廃棄分別のためのコンピュータプログラムを実行する装置、注射器Ａの廃棄分別装置の全体回路を示す。
【００５５】
この全体回路は、コントローラ（中央処理演算装置であるＣＰＵ、ＲＯＭ、ＲＡＭなど）５１を中心に、アドレス信号及びデータ信号が双方向に伝達されるアドレス／データバスライン５２を介して入力部５３、出力部５４、インターフェース部５５、情報記憶部５６、プログラム／データ記憶部５７等と電気的に接続されて構成されている。
【００５６】
入力部５３は、情報入力部などからなり、注射器の廃棄分別のための種々の制御データ、プログラム等が入力される。出力部５４は、情報出力部等からなり、情報記憶部５６またはプログラム／データ記憶部５７に記憶されたモーター３１の回転／切断数データ、回転／切断状況データ、その他の処理データなどが出力される。
【００５７】
インターフェース部５５には、バッファ等のメモリを備えた外部入力装置と外部出力装置とからなる外部装置が接続される。外部入力装置には、上述の電源スイッチ１３、赤外線センサー１７、切断スイッチ１２、蓋検出スイッチ３６、回転検出スイッチ３７などが接続され、これらからの制御データが入力される。
【００５８】
外部出力装置には、上述の報知ランプ１５、モーター３１、消毒ランプ３９等が接続され、これらに制御データが出力される。このインターフェース部５５を通じて、上記制御データのほか、その他のデータ、コマンド、設定・指示データ、その他の情報、プログラムが送受される。このインターフェース部５５には、ＬＡＮ回線、電話回線、インターネット回線なども接続され、同様に上記画像データなどが送受される。
【００５９】
プログラム／データ記憶部５７（内部記憶媒体／手段）はフラッシュメモリ、ＥＥＰＲＯＭ、ＥＰＲＯＭ、ＣＤ−ＲＯＭなどＲＯＭ等の不揮発性メモリと、ＲＡＭ、キャッシュメモリ、ハードディスク、磁気カード、磁気ディスク、ＣＤ−ＲＡＭ、ＤＶＤ（デジタルビデオディスク）等が用いられた一時記憶メモリという大別して２種類の記憶装置（記憶手段）から構成されている。
【００６０】
そして、プログラム／データ記憶部５７のＲＯＭには、注射器の廃棄分別用のプログラムや各種処理に使用される汎用データが記憶される。このプログラムは後述するフローチャートに対応している。また、プログラム／データ記憶部５７の一時記憶メモリには、プログラム処理中のデータの一時的な蓄積等、つまりワーキングメモリ若しくはキャッシュメモリとして用いられる。
【００６１】
また、情報記憶部５６（外部記憶補助媒体／手段、補助記憶媒体）は、磁気ディスク、光ディスク、フレキシブルディスク（プロッピィーディスク）、磁気ドラム、磁気テープ、メモリカード、ＣＤ−ＲＡＭ、ＣＤ−ＲＯＭ、ＤＶＤなどの大量情報記憶／保存メディアとそれらのメディアへの情報書き込み／読み出し装置等（ドライブ装置、インターフェイス回路）から構成されている。
【００６２】
なお、場合によって、上記注射器の廃棄分別のためのプログラムは本装置（コンピュータ本体）にインストールされ実行されるときに、別のプログラムとともにまたは単独で請求項（特許請求の範囲）または末尾の他の発明の効果の各請求項に記載された処理・機能を実行させる。
【００６３】
また、場合によって、このプログラムの一部または全部が本装置以外の１つ以上の別装置に記憶されて実行され、本装置と別装置との間には通信手段を介して、これから処理するデータ／既に処理されたデータ／プログラムが送受され、本装置及び別装置全体として、本発明が実行される。これらの通信手段はインターネット通信システムなどである。
【００６４】
（５）注射器の廃棄分別処理
図６は、上記注射器Ａの廃棄分別を制御する処理のフローチャートを示す。このフローチャートに応じたプログラムはリレーシーケンスで置き換え可能であり、実際にはリレーシーケンスで構成されることも多いが、プログラムで構成すると配線数が少なくなる。
【００６５】
このプログラム／処理は、上記電源スイッチ１３の投入でスタートされ、同電源スイッチ１３の切断まで繰り返される。まず、イニシャライズ処理が実行され（ステップ０１）、上記情報記憶部５６、プログラム／データ記憶部５７のエラーチェック、その他の初期化が行われる。
【００６６】
次いで、上記プログラム／データ記憶部５７または情報記憶部５６に記憶されている回転数／切断数データが読みだされ（ステップ０３）、所定数を越えていれば（ステップ０４）、報知ランプ１５を点灯または点滅させる（ステップ０５）。これにより、切断刃２７の交換時期に入ったことが知らされる。
【００６７】
そして、注射器の廃棄分別装置の差し込み穴１１に注射器Ａが差し込まれ、上記インターフェース部５５に接続された切断スイッチ１２がオンされれば（ステップ０８）、蓋検出スイッチ３６から蓋部１０が閉じられていることを示す検出データ送られているとき（ステップ０９）、しかも赤外線センサー１７から検出データが送られていないとき（ステップ１０）、消毒ランプ３９が点灯され（ステップ１１）、モーター３１が回転され始める（ステップ１２）。
【００６８】
これにより、蓋部１０が閉じられて指等が差し込まれていない安全なときに、押さえ板３４が回転されて、注射器Ａが切断される。このとき消毒ランプ３９によって、切断される注射器Ａの先端の切断面付近が殺菌消毒される。
【００６９】
次いで、押さえ板３４が受け凹部４４及び切断刃２７に対して一回転し、注射器Ａの切断が完了して、回転検出スイッチ３７が押さえ板３４の通過によってオンされると（ステップ１５）、モーター３１の回転が停止され（ステップ１６）、上記回転数／切断数データが＋１される（ステップ１７）、数秒経過して消毒ランプ３９が消灯される（ステップ１８）。以上の処理が電源スイッチ１３の切断まで繰り返される。
【００７０】
この停止によって、押さえ板３４が切断刃２７付近では停止されず、起立した状態で停止される。これにより、押さえ板３４が蓋部１０付近で停止せず、受け凹部４４に注射器Ａを置くときに押さえ板３４がじゃまにならない。
【００７１】
このモーター３１の回転の停止は、上記切断スイッチ１２のオンが継続されたままでも実行され、モーター３１は一回転以上せず、一回転で停止される。これにより、一度切断された注射器Ａに重ねて切断が行われず、無駄なエネルギーを消費しないし、注射器Ａの切断後に指等を入れても切断動作が行われず安全である。
【００７２】
また、上記切断スイッチ１２がオンされた時（ステップ０８）、蓋部１０が開けられていると（ステップ０９）、上記モーター３１の回転は禁止される。これにより、受け凹部４４及び切断刃２７が露出されているときには、モーター３１及び押さえ板３４の回転が禁止され、無駄なエネルギーを消費しないし、注射器Ａ以外の指等を入れる隙間があるときには切断動作が行われず安全である。
【００７３】
さらに、上記切断スイッチ１２がオンされた時（ステップ０８）、差し込み穴１１に指等が差し込まれ、赤外線センサー１７から検出データが送られていれば（ステップ１０）、上記モーター３１の回転は禁止される。これにより、差し込み穴１１に指等が差し込まれているときには、モーター３１及び押さえ板３４の回転が禁止され安全である。
【００７４】
また、モーター３１が一回転する前に、切断スイッチ１２の操作が停止されても、上記回転検出スイッチ３７で押さえ板３４が通過してモーター３１及び押さえ板３４の一回転が検出されるまで、モーター３１及び押さえ板３４は回転を続ける（ステップ１５、１６）。
【００７５】
これにより、切断スイッチ１２の所定操作の操作時間の長さにかかわらず、上記モーター３１及び押さえ板３４はいつも同じ位置に停止することができ、注射器Ａの切断のモーメント、力、速度または加速度をいつもほぼ一定にできる。
【００７６】
（６）他の実施の形態
本発明は、上記実施形態に限定されず、種々変更可能である。例えば、切断刃２７は、受け凹部４４に隣り合って接しているが、離れていてもよいし、切断刃２７は複数でもよい。
【００７７】
例えば、切断刃２７は、仕切り板２３に接して一枚、仕切り板２３から離れて一枚取り付けられる等してもよい。この場合、回転押さえ部３２の押さえ板３４は、複数の切断刃２７の間を通過する。回転押さえ部３２の押さえ板３４に対して、注射器Ａの本体側には少なくとも一つの切断刃２７が設けられる。
【００７８】
受け凹部４４は場合によって省略可能である。この場合上述のように切断刃２７は複数設けられ、複数の切断刃２７が受け部の機能を発揮する。切断刃２７の刃は、上縁が角度の広い「Ｖ字状」に凹んでいてもよい。
【００７９】
受け凹部４４の形状は角度の広い断面「Ｖ字状」のほか、「Ｕ字状」「コ字状」段差のある凹みなど、どのような形状でもよい。この場合でも、注射器Ａを動かないように受け凹部４４の上に置かれる。
【００８０】
受け凹部４４の上面は前後方向に水平で傾斜していなかったが、後方に向かって傾斜していてもよい。これにより、注射針Ｐが注射器Ａの中心から周縁にずれた注射器Ａの先端を斜めに切断できる。このような注射器Ａでは、注射器Ａの内側面が先端から同じ長さだけ血液などが付着するのではなく、注射針Ｐに近い内側面のほうが長く付着し、このような注射器Ａでは斜めに切断したほうがよいからである。
【００８１】
この場合、注射針Ｐを下ではなく上にして、注射器Ａが差し込み穴１１に斜め下方に向かって挿入される。また、注射器Ａは差し込み穴１１に、斜め上方に向かって挿入してもよいし、斜め右方に向かって挿入してもよいし、斜め左方に向かって挿入してもよい。
【００８２】
付勢ばね４７はコイル状のほか、板ばね状、ゴム紐状などでもよく、圧縮されて反発する圧縮付勢のほか、引っ張られて反発する引っ張り付勢でもよい。また、付勢ばね４７は省略されて、受け凹部４４は上方へ付勢されなくてもよい。
【００８３】
回転押さえ部３２の押さえ板３４は複数でもよい。この場合、一枚または複数枚の切断刃２７を挟んでまたは互い違いに、二つ以上の押さえ板３４が注射器Ａを押さえ込んで通過して、注射器Ａを切断する。
【００８４】
回転押さえ部３２の押さえ板３４は回転動ではなく、往復動してもよい。この場合、押さえ板３４がガイド４１、４１と同様のガイド内にスライド可能に取り付けられ、手作業でまたはモーター３１の回転動が往復動に変換されて、上下に往復動される。
【００８５】
切断刃２７は、注射器の廃棄分別装置に対して固定されて動かないが、バネで支えられて少々動いてもよい。これにより、注射器Ａ切断時の衝撃圧力を吸収できる。切断刃２７の刃は水平ではなく、斜め下方または斜め上方に傾いていてもよい。
【００８６】
切断スイッチ１２は当接板２４、スリット２５、切断刃２７、受け凹部４４、の近辺に設けられ、差し込み穴１１に挿入された注射器Ａで切断スイッチ１２が連動してオンされてもよい。
【００８７】
上記受け凹部４４、切断刃２７、押さえ板３４は、この順番で、手前から並んでいるが、これが逆に手前から、押さえ板３４、切断刃２７、受け凹部４４と並んでもよいし、手前から、受け凹部４４、押さえ板３４、切断刃２７と並んでもよいし、押さえ板３４、受け凹部４４、切断刃２７と並んでもよいし、手前から、切断刃２７、受け凹部４４、押さえ板３４と並んでもよいし、手前から、切断刃２７、押さえ板３４、受け凹部４４と並んでもよい。
【００８８】
上記受け凹部４は差し込み穴１１から露出しなくてもよいし、差し込み穴１１の受け凹部４４の露出量は切断される注射器Ａの太さより小さくてもよい。このとき、差し込み穴１１は受け凹部４４及び注射器Ａとともに動く。
【００８９】
当接板（当接部）２４またはスリット２５の全部または一部は、場合によって無くてもよい。場合によって、差し込み穴１１に、受け凹部４４または切断刃２７が露出しなくてもよい。差し込み穴１１は、場合によって無くてもよい。モーター３１は省略され、手動で押さえ板３４が回転または押し込まれてもよい。
【００９０】
上記切断刃２７は、鋸刃、電熱線、レーザーカッターのようなものでもよく、注射器Ａを切断できればよい。上記報知ランプ１５（報知手段）は、音声、警報音、携帯電話への通報など、どのような報知でもよいし、無くてもよい。蓋部１０は無くてもよい。蓋部１０が開けられても上記モーター３１及び押さえ板３４の回転が禁止されなくてもよい。
【００９１】
回転検出スイッチ３７、蓋検出スイッチ３６、赤外線センサー１７、消毒ランプ３９の一部または全部は省略されてもよい。モーター３１及び押さえ板３４は、切断スイッチ１２が押されている間だけ回転し続けてもよく、切断スイッチ１２がオフされたときにモーター３１及び押さえ板３４が停止してもよく、押さえ板３４は切断刃２７付近で停止してもよく、切断スイッチ１２の一回の操作でモーター３１及び押さえ板３４は一回転以上してもよい。
【００９２】
上記押さえ板３４の形状は方形状以外に三角等の多角形、円形、半円形、棒状、円柱、角柱、らせん状等どのような形状でもよく、押さえ凹部３５の形状は、「Ｕ字状」「コ字状」段差のある凹みなど、どのような形状でもよい。
【００９３】
分別収集箱Ｂの収納を検出するスイッチが設けられ、分別収集箱Ｂが収納されていない時には、図５の注射器の廃棄分別処理のフローチャートは実行されなくてもよい。この場合、ステップ０８〜１０の間で分別収集箱Ｂの収納が検出される。
【００９４】
本発明は注射器の廃棄分別装置またはコンピュータなどにおいて実施され得るし、図３の回路は注射器の廃棄分別装置に付加／内蔵または別構造とされて、図４の処理が注射器の廃棄分別装置で実行されても良い。上記各図の回路の機能はソフトウエア（フローチャート）によって実施されても良いし、上記各図のフローチャートの機能はハードウエア（回路）によって実施されてもよい。
【００９５】
各請求項記載の発明は、当該発明をコンピュータに実行させるコンピュータプログラムを記憶した媒体、コンピュータプログラムの通信装置（方法）、織機制御装置（方法）としても実現可能である。上記図３の回路のいずれか１つまたは複数若しくは全部、図４のステップのいずれか１つまたは複数若しくは全部は省略されてもよいし、他の均等な手段と置き換えられてもよいし、一部のステップが他のステップと入れ替えられてもよい。図１、図２の構造の一部または全部が無くてもよい。
【００９６】
（７）他の発明の効果
［１］注射器が動かないように置かれ、この注射器に対してほぼ直交方向に動くとともにこの注射器が置かれたまま動き、この動きに対して復帰させる方向に付勢される受け部と、  この受け部に並んで配置され、当該受け部が動く時にこの受け部に対してほとんど動かず、上記注射器の本体の先端に近い個所に対して対向する切断刃と、
所定の操作によって、上記切断刃を避けて上記注射器を上記受け部の付勢に抗して所定の幅に渡って押さえ込み、当該注射器の先端付近を上記切断刃に対して通過させて切断し、この注射器の先端付近及び注射針を注射器本体から切り離す移動押さえ部とを備えたことを特徴とする注射器の廃棄分別装置。
【００９７】
［２］上記移動押さえ部は、上記切断刃を挟んで、上記受け部と反対側に配置され、または、この移動押さえ部は、この切断刃を挟んで、上記注射器Ａと反対側に配置されることを特徴とする請求項１記載の注射器の廃棄分別装置。  これにより、注射器に対して互いに逆方向に力が働く箇所に、切断刃が位置するので、注射器に働く力の中で最も切断し易い箇所で切断できる。
【００９８】
［３］上記移動押さえ部を挟んで、切断刃と反対側にはスリットを有する当接部が設けられ、このスリットには注射器の注射針は挿通されるが注射器本体は挿通されず、当該スリットの方向は、上記移動押さえ部の移動方向にほぼ沿っており、上記切断刃から当該スリットまたは当接部までの長さは一定であることを特徴とする請求項２記載の注射器の廃棄分別装置。  これにより、注射針の長さが変化しても、注射器の先頭から同じ長さの汚染された部分を切断でき、切断された注射器の先端の注射針が引っ掛からずにスリットに沿って落下できる。また、この当接部に沿ってゴミを廃棄でき、この廃棄されたゴミは注射針のような危険物と同様に処理できる。
【００９９】
［４］上記受け部の外側には、注射器の差し込み穴が形成され、この差し込み穴には当該受け部が露出し、この露出量は切断される注射器の太さより大きく、  上記切断刃も上記差し込み穴に露出し、この露出量は切断される注射器の太さより大きいことを特徴とする請求項３記載の注射器の廃棄分別装置。  これにより、注射器を切断し切らないうちに、注射器の下面が差し込み穴の下端に当たってしまうことがなく、注射器が確実に切断される。
【０１００】
［５］上記受け部及び切断刃には、蓋部が設けられ、この蓋部で上記受け部及び切断刃が覆われて注射器の根元付近のみが露出され、当該蓋部が開けられると上記移動押さえ部の回転が禁止されることを特徴とする請求項４記載の注射器の廃棄分別装置。
これにより、受け部及び切断刃が露出されているときには、移動押さえ部の回転が禁止され、無駄なエネルギーを消費しないし、注射器以外の指等を入れる隙間があるときには切断動作が行われない。
【０１０１】
［６］上記移動押さえ部の回転位置には検出部が設けられ、この検出部で移動押さえ部の通過が検出されると、移動押さえ部の回転が停止され、この移動押さえ部は上記切断刃付近では停止されないことを特徴とする請求項５記載の注射器の廃棄分別装置。  これにより、移動押さえ部が蓋部付近で停止せず、受け部に注射器を置くときに移動押さえ部がじゃまにならない。
【０１０２】
［７］上記移動押さえ部は、受け部及び切断刃に対して一回転し、上記所定の操作が継続されても一回転以上はしないことを特徴とする請求項６記載の注射器の廃棄分別装置。  これにより、一度切断された注射器に重ねて切断が行われず、無駄なエネルギーを消費しないし、注射器の切断後に指等を入れても切断動作が行われない。
【０１０３】
［８］上記所定の操作が停止されても、上記移動押さえ部は上記検出部で移動押さえ部の通過が検出されるまで回転を続けることを特徴とする請求項７記載の注射器の廃棄分別装置。  これにより、上記所定の操作の操作時間の長さにかかわらず、上記移動押さえ部はいつも同じ位置に停止することができ、注射器の切断のモーメント、力、速度または加速度をいつもほぼ一定にできる。
【０１０４】
［９］上記所定回数切断が行われるまたは上記移動押さえ部が所定回数回転すると、報知する手段が設けられ、  上記切断刃は刃の方向にそって移動されて再度固定されることを特徴とする請求項８記載の注射器の廃棄分別装置。  これにより、切断刃が摩耗したら切断位置を変えるまたは新しい切断刃に忘れず交換して、注射器の切断を円滑にできる。
【産業上の利用可能性】
【０１０５】
使用済の注射器を汚染部分と汚染していないリサイクル可能部分とに分別し、注射器をリサイクルし、温室効果ガスＣＯ２の排出量を削減する。当接板２４、２４の間のスリット２５に注射器Ａの注射針Ｐが挿通され、受け凹部４４上に注射器Ａ本体が置かれ、切断スイッチ１２が押されると、モーター３１が回転し、押さえ板３４が回転して、注射器Ａ本体の先端を押さえる。すると、押さえ板３４と受け凹部４４との間にある切断刃２７で、注射針Ｐを備えた注射器Ａの先端が切断されて廃棄され、残った注射器Ａ本体はリサイクルされる。
【符号の説明】
【０１０６】
１…キャスター、２…底板、３…側板、
４…中板、５…扉、６…取っ手、
７…上側板、８…天板、９…面取り部、
１０…蓋部、１１…差し込み穴、１２…切断スイッチ、
１３…電源スイッチ、１４…掛け部、１５…報知ランプ（報知手段）、
１６…ゴミ入れ扉、１７…赤外線センサー、２１…処理穴、
２２…落下穴、２３…仕切り板、２４…当接板（当接部）、
２５…スリット、２６…切断ホルダー、２７…切断刃、
２８…取付け穴、３１…モーター、
３２…回転押さえ部（移動押さえ部）、３３…中心部（移動押さえ部）、
３４…押さえ板（移動押さえ部）、３５…押さえ凹部（移動押さえ部）、
３６…蓋検出スイッチ、３７…回転検出スイッチ、３８…回転制御部、
３９…消毒ランプ、４１…ガイド、４２…ガイド板、
４３…受け板（受け部）、４４…受け凹部（受け部）、
４５…上付勢板、４６…下付勢板、４７…付勢ばね、
５１…コントローラ（ＣＰＵ、ＲＯＭ、ＲＡＭなど）、
５２…アドレス／データバスライン、５３…入力部、
５４…出力部、５５…インターフェース部、
５６…情報記憶部、５７…プログラム／データ記憶部、
Ａ…注射器、Ｂ…分別収集箱、Ｐ…注射針。
【図１】
2011147632.tif 000003
【図２】
2011147632.tif 000004
【図３】
2011147632.tif 000005
【図４】
2011147632.tif 000006
【図５】
2011147632.tif 000007
【図６】
2011147632.tif 000008